(57)【要約】【課題】導光板からの出光方向を導光板の出光面に対して鉛直方向に集中させることにより、高輝度で均一な輝度分布が得られ、高品位の液晶表示装置を提供する。【解決手段】液晶表示パネル１と、この液晶表示パネル１の背面に対向して照明光を照射する面状光源装置とを備え、面状光源装置は、液晶表示パネル１の背面に対向して出光面である上面１２１とこの上面１２１に対向する下面１２２とを有する導光板１２０を有し、この導光板１２０の第１の角部にＬＥＤ１５０−１を設け、このＬＥＤ１５０−１の隣接する角部にＬＥＤ１５０−２を設け、導光板１２０の下面１２２に底面１２２から上面１２１に向かって傾斜する反射面１２７とこの反射面１２７に接する傾斜面１２９とを設けることにより、導光板１２０からの出光方向を上面１２１に対して鉛直方向に集中させることができる。【選択図】図５
2007279474.tif 000002
【特許請求の範囲】
【請求項１】
内面に画素形成用の電極を有する一対の透明基板の間に液晶層を挟持して構成された液晶表示パネルと、
前記液晶表示パネルの背面に照明光を照射するバックライトと、
を備え、
前記バックライトは、発光素子と、前記発光素子からの光を入射する導光板と、前記導光板に形成された前記発光素子に対向して配置された第１の傾斜面と、前記第１の傾斜面と接する第２の傾斜面とを有することを特徴とする液晶表示装置。
【請求項２】
内面に画素形成用の電極を有する一対の透明基板の間に液晶層を挟持して構成された液晶表示パネルと、
前記液晶表示パネルの背面に照明光を照射する面状光源装置と、
を備え、
前記面状光源装置は、前記液晶表示パネルの背面に対向する出光面と当該出光面に対向する底面とを有する導光板と、
前記導光板の第１の角部に設けられた第１の発光素子と、
前記第１の発光素子に隣接する第２の角部に設けられた第２の発光素子と、
前記導光板の底面に形成され、且つ前記底面から前記出光面に向かって傾斜した第１の傾斜面と、
前記導光板の底面に形成され、且つ前記底面から前記出光面に向かって傾斜した第２の傾斜面と、
を有し、
前記第１の傾斜面は前記第１の発光素子からの光を前記出光面に反射し、
前記第２の傾斜面は前記第２の発光素子からの光を前記出光面に反射し、
前記第１の傾斜面と前記第２の傾斜面とが交差して形成される辺は、前記底面に対して傾斜していることを特徴とする液晶表示装置。
【請求項３】
内面に画素形成用の電極を有する一対の透明基板の間に液晶層を挟持して構成された液晶表示パネルと、
前記液晶表示パネルの背面に照明光を照射する面状光源装置と、
を備え、
前記面状光源装置は、前記液晶表示パネルの背面に対向する出光面と当該出光面に対向する底面とを有する導光板と、
前記導光板の第１の角部に設けられた第１の発光素子と、
前記第１の発光素子に隣接する第２の角部に設けられた第２の発光素子と、
前記導光板の底面に形成され、且つ前記底面から前記出光面に向かって傾斜した第１の傾斜面と、
前記導光板の底面に形成され、且つ前記底面から前記出光面に向かって傾斜した第２の傾斜面と、
を有し、
前記第１の傾斜面と前記底面とが交差して形成される第１の接線と、
前記第１の傾斜面と前記底面とが交差して形成される第２の接線と、
を有し、
前記第１の接線と前記第１の発光素子から前記第１の傾斜面に引いた直線とは直交し、
前記第２の接線と前記第２の発光素子から前記第２の傾斜面に引いた直線とは直交し、
前記第１の傾斜面は前記第１の発光素子からの光を前記出光面に反射し、
前記第２の傾斜面は前記第２の発光素子からの光を前記出光面に反射し、
前記第１の傾斜面と前記第２の傾斜面とが交差して形成される辺は、前記底面に対して傾斜していることを特徴とする液晶表示装置。
【請求項４】
前記第１の傾斜面及び第２の傾斜面の傾斜角度は、５５度±１０度の範囲であることを特徴とする請求項１乃至請求項３の何れかに記載の液晶表示装置。
【発明の詳細な説明】
【技術分野】
【０００１】
本発明は、非自発光型の表示装置に係わり、特に液晶表示パネルの背面に導光板を備え、発光素子（以下ＬＥＤと称する）を光源として用いた面状光源装置を有する液晶表示装置に関し、詳細には導光板の光拡散構造に関するものである。
【背景技術】
【０００２】
近年、表示装置として液晶表示装置が多用されている。特に液晶表示装置は、薄型、軽量、省電力であることから携帯用機器の表示部に用いられている。
【０００３】
しかしながら、液晶表示装置は、自発光型でないために照明手段を必要とする。一般に液晶表示装置で用いられる照明装置には、バックライトと称される面状照明装置が普及している。従来、バックライトの発光素子には冷陰極放電管が用いられているが、近年、ＬＥＤも携帯用機器にて発光素子として用いられている。
【０００４】
通常、バックライトには板状の導光板が設けられている。導光板の材質は透光性の樹脂材により形成されており、発光素子から導光板に入射した光は導光板内を伝播する。導光板には溝または突起等の反射部材及び光散乱部材などが設けられおり、この反射部材及び光散乱部材により導光板内を伝播する光は液晶表示パネルの背面に向けて出射する。
【０００５】
ＬＥＤを発光素子として用い、導光板の複数の角部にＬＥＤを配置し、導光板に光を液晶表示パネル側に反射させる傾斜面を形成し、ＬＥＤが中心となる同心円の円弧状に傾斜面を形成した液晶表示装置は、例えば下記特許文献１などにより提案されている。
【０００６】
【特許文献１】特開２００５−３３１５６５号
【発明の開示】
【発明が解決しようとする課題】
【０００７】
しかしながら、発光素子としてＬＥＤを使用し、高輝度化する目的で、複数のＬＥＤを用いるバックライトでは、発光点が複数となることから、導光板内を伝播する光を反射させて出射させる部材の位置形状が複雑になる。特に、ＬＥＤから出射する光の広がりを考慮して導光板の角部にＬＥＤを配置した場合には、一つの反射部材で二方向からの光について、出射面側に反射させるように反射面の角度を設定することが困難であるという課題があった。
【０００８】
したがって、本発明は、上述した従来の課題を解決するためになされたものであり、その目的は、導光板からの出光方向を導光板の出光面に対して鉛直方向に集中させることにより、高輝度で均一な輝度分布が得られ、これによって高品位の表示画像が得られる液晶表示装置を提供することにある。
【０００９】
このような目的を達成するために本発明による液晶表示装置は、内面に画素形成用の電極を有する一対の透明基板の間に液晶層を挟持して構成された液晶表示パネルと、この液晶表示パネルの背面に照明光を照射するバックライトとを備え、このバックライトは、発光素子と、この発光素子からの光を入射する導光板と、この導光板に形成された発光素子に対向して配置された第１の傾斜面と、この第１の傾斜面と接する第２の傾斜面とを有して構成することを特徴としている。
【００１０】
本発明による他の液晶表示装置は、内面に画素形成用の電極を有する一対の透明基板の間に液晶層を挟持して構成された液晶表示パネルと、この液晶表示パネルの背面に照明光を照射する面状光源装置とを備え、この面状光源装置は、液晶表示パネルの背面に対向する出光面と当該出光面に対向する底面とを有する導光板と、この導光板の第１の角部に設けられた第１の発光素子と、この第１の発光素子に隣接する第２の角部に設けられた第２の発光素子と、導光板の底面に形成され、且つ底面から出光面に向かって傾斜した第１の傾斜面と、導光板の底面に形成され、且つ底面から前記出光面に向かって傾斜した第２の傾斜面とを有し、第１の傾斜面は第１の発光素子からの光を出光面に反射し、第２の傾斜面は第２の発光素子からの光を出光面に反射し、第１の傾斜面と第２の傾斜面とが交差して形成される辺は、底面に対して傾斜していることを特徴としている。
【００１１】
本発明によるさらに他の液晶表示装置は、内面に画素形成用の電極を有する一対の透明基板の間に液晶層を挟持して構成された液晶表示パネルと、この液晶表示パネルの背面に照明光を照射する面状光源装置とを備え、この面状光源装置は、液晶表示パネルの背面に対向する出光面とこの出光面に対向する底面とを有する導光板と、この導光板の第１の角部に設けられた第１の発光素子と、この第１の発光素子に隣接する第２の角部に設けられた第２の発光素子と、導光板の底面に形成され、且つ底面から出光面に向かって傾斜した第１の傾斜面と、導光板の底面に形成され、且つ底面から出光面に向かって傾斜した第２の傾斜面とを有し、第１の傾斜面と底面とが交差して形成される第１の接線と、第１の傾斜面と底面とが交差して形成される第２の接線とを有し、この第１の接線と第１の発光素子から第１の傾斜面に引いた直線とは直交し、第２の接線と第２の発光素子から第２の傾斜面に引いた直線とは直交し、第１の傾斜面は第１の発光素子からの光を出光面に反射し、第２の傾斜面は第２の発光素子からの光を出光面に反射し、第１の傾斜面と第２の傾斜面とが交差して形成される辺は、底面に対して傾斜していることを特徴としている。
【００１２】
本発明による他の液晶表示装置は、好ましくは、上記構成において、第１の傾斜面及び第２の傾斜面が導光板の底面に対して４５度乃至６５度の範囲とすることにより、導光板からの光の出光方向を出光面に対して鉛直方向に集中させることができるので、背景の技術の課題を解決することができる。
【発明の効果】
【００１３】
本発明によれば、導光板からの出光方向を出光面に対して鉛直方向に集中させることができるので、光利用効率が大幅に向上し、高輝度で均一な輝度分布が得られるので、高表示品位の液晶表示装置が実現可能となるという極めて優れた効果が得られる。
【発明を実施するための最良の形態】
【００１４】
以下、本発明の具体的な実施の形態について、実施例の図面を参照して詳細に説明する。
【実施例１】
【００１５】
図１は、本発明による液晶表示装置の一実施例による全体構成を示す要部平面図である。図１において、液晶表示装置１００は、液晶表示パネル１と、バックライト１１０と、制御回路８０とから構成される。液晶表示パネル１は、画素形成用の電極を有するガラス基板の間に液晶層を封止して形成されている。液晶表示パネル１には制御回路８０からは液晶表示に必要な信号及び電源電圧が供給される。この制御回路８０は、フレキシブル基板７０に搭載され、配線７１及びその端子７５を介して液晶表示パネル１に制御信号が供給される。
【００１６】
バックライト１１０は、導光板１２０と、発光素子であるＬＥＤ１５０と、収納ケース１８０とから構成されている。バックライト１１０は、液晶表示パネル１に光を照射する目的で設けられる。液晶表示パネル１では、バックライト１１０から照射された光の透過量または反射量を制御して表示を行う。また、面状光源装置１１０Ａは、導光板１２０とＬＥＤ１５０（ＬＥＤ１５０−１，ＬＥＤ１５０−２）とから構成される。なお、このバックライト１１０は観察者に対して液晶表示パネル１の裏面側または前面側に重ねて設けられるが、図１では解り易くするために、液晶表示パネル１と並べて表示している。
【００１７】
導光板１２０は、ほぼ矩形状に形成されており、この導光板１２０の隣接する角部にはそれぞれＬＥＤ１５０−１とＬＥＤ１５０−２とが配設されている。角部に設けられたＬＥＤ１５０−１とＬＥＤ１５０−２との間はフレキシブル基板１６０により電気的に接続され、このフレキシブル基板１６０は制御回路８０に外部接続配線１７３により電気的に接続されている。なお、バックライト１１０の構成の詳細については後述する。
【００１８】
また、液晶表示パネル１の画素部８には画素電極１２が設けられている。なお、液晶表示パネル１は多数の画素部８をマトリクス状に備えているが、図が煩雑になることを避けて図１では画素部８を１つだけ図示している。マトリクス状に配置された画素部８は表示領域９を形成し、各画素部８が表示画像の画素の役割をはたし、表示領域９に画像を表示する。
【００１９】
図１においては、図中、Ｘ方向に延在しＹ方向に並設されるゲート信号線（走査信号線とも称する）２１と、Ｙ方向に延在しＸ方向に並設されるドレイン信号線（映像信号線とも称する）２２とが設けられており、ゲート信号線２１とドレイン信号線２２とで囲まれる領域に画素部８が形成されている。
【００２０】
画素部８にはスイッチング素子１０が設けられている。ゲート信号線２１からは制御信号が供給され、スイッチング素子１０のオン・オフが制御される。スイッチング素子１０がオン状態となることで、ドレイン信号線２２を介して伝送された映像信号が画素電極１２に供給される。
【００２１】
ドレイン信号線２２は駆動回路５に接続されて駆動回路５から映像信号が出力する。ゲート信号線２１は駆動回路６に接続されて駆動回路６からは制御信号が出力する。なお、ゲート信号線２１及びドレイン信号線２２と、駆動回路５及び駆動回路６とは同じＴＦＴ基板２上に形成されている。
【００２２】
図２は、ＬＥＤ１５０の概略構成を示す図であり、図２（ａ）は概略断面図、図２（ｂ）は光出射面側の平面図である。図２に示すＬＥＤ１５０は、発光部であるＬＥＤチップ１５１がチップ基板１５７に搭載された構造を有している。ＬＥＤチップ１５１はｐｎ接合を有し、ｐｎ接合に電圧を印加すると特定の波長の光が出射する。ｐｎ接合を形成するｐ型半導体層にはｐ電極（アノード）１５８と、ｎ型半導体層にはｎ電極（カソード）１５９とがそれぞれ設けられる。
【００２３】
各ｐ電極１５８及びｎ電極１５９にはワイヤ１５２が接続されている。このワイヤ１５２はＬＥＤ１５０を外部と接続するために設けられたチップ端子１５３とｐ電極１５８及びｎ電極１５９とが電気的に接続する。
【００２４】
ＬＥＤチップ１５１の出射面側には、蛍光発光部１５６が設けられる場合もある。蛍光発光部１５６はＬＥＤチップ１５１から発光する光の波長を変換する機能を有している。なお、符号１５５は横方向に進む光を出射面側に反射させるコーン状反射面である。符号１６６はカソード（またはアノード）の位置を表示するマークである。
【００２５】
チップ端子１５３は、チップ基板１５７の裏面で外部配線等と接続するが、チップ基板１５７の裏面から側面を経て出射面側にまで延伸してチップ搭載部１５４を形成している。チップ端子１５３と、チップ搭載部１５４とを光反射率の高い金属で形成した場合にチップ搭載部１５４を光反射面として利用することが可能である。また、チップ端子１５３とチップ搭載部１５４とを熱伝導率の高い金属（導電部材でも良い）で形成すると、ＬＥＤチップ１５１で発生した熱をチップ基板１５７の裏面側に放熱することが可能である。
【００２６】
図３は、導光板１２０の概略構成を示す図であり、図３（ａ）は平面図、図３（ｂ）は側面から見た平面図である。導光板１２０は、図３（ａ）に示すように矩形状に形成され、出光面である上面１２１と、この上面１２１に対向する底面である下面１２２とを有している。また、この導光板１２０はアクリル樹脂等の光を透過する材質からなり、図３（ｂ）に示すように板状に形成され、その厚さが約１．０ｍｍ〜約０．４ｍｍである。なお、図３（ｂ）では断面を矩形状で示したが、光入射面１２５側から板厚が減少した楔形状としても良い。
【００２７】
図３では、光が反射する方向を説明するために導光板１２０の角部の光入射面１２５に１個のＬＥＤ１５０を設けた構造を示している。また、上面１２１と下面１２２とは入射面１２５に対して直交するものとし、反射部は断面がＶ字型の溝１２６で形成されている。
【００２８】
ＬＥＤ１５０から出射した光線は、角部の入射面１２５から導光板１２０に入射する。導光板１２０に入射した光線１３１は、上面１２１と下面１２２との間で全反射を繰り返しながら、伝播する。下面１２２には溝１２６が設けられており、この溝１２６で光線１３１は上面１２１側に向けて反射される。
【００２９】
図３（ａ）に示すように溝１２６は、ＬＥＤ１５０を中心とする同心円状に設けられる。円弧はＬＥＤ１５０から伸びる仮の直線１１１に直交しており、溝１２６もＬＥＤ１５０から直進する光線に対して直交することになる。
【００３０】
図４は、導光板１２０内の光線１３１の伝播構造について説明する概略断面図であり、図４（ａ）は現行の伝播構造、図４（ｂ）は本発明の実施の形態である伝播構造をそれぞれ示している。図４（ａ）に示す現行例では、溝１２６の反射面（傾斜面とも呼ぶ）１２７は下面１２２に対して約５度〜約３５度の角度を有しており、反射面１２７で反射した光は、導光板１２０の上面１２１の鉛直方向に対して大きい角度（上面１２１に対して鈍角）で外側に広がるように出射している。
【００３１】
このために導光板１２０の上には、プリズムシート１１３とプリズムシート１１２とが設けられて外側に向かう光線を液晶表示パネル（図示せず）側に向かうように反射させている。なお、符号１１４は拡散板、符号１１５は反射シートである。
【００３２】
これに対して図４（ｂ）に示す導光板１２０では、反射面１２７は下面１２２に対して約５０度±１０度の角度となるように形成され、上面１２１からの出射光は上面１２１に対して略鉛直方向となっている。
【００３３】
ただし、図５に導光板１２０の平面図を示すように反射面１２７と下面１２２とのなす接線１２８に対して直交するように入射する光線１３１は、上面（図５では紙面）１２１に対して鉛直方向に出射するが、接線１２８に対して直交しない光線１３２は、導光板１２０の外側に向かう方向に反射することとなる。
【００３４】
図３では、ＬＥＤ１５０が１個であるためにＬＥＤ１５０を中心とする同心円状に溝１２６を形成することにより、接線１２８がＬＥＤ１５０からの光線に対して直交することが可能であった。しかしながら、図５に示すように導光板１２０の角部にＬＥＤ１５０−１とＬＥＤ１５０−２とを設け、発光素子が複数となった場合では、複数の発光素子と溝１２６とを結ぶ線が接線１２８と直交するように溝１２６を形成することが困難であることがわかる。
【００３５】
さらに、図６を用いて説明すると、傾斜面１２７は、ＬＥＤ１５０−１からの光線１３１を導光板１２０の上面（出射面）１２１に対して延長方向に向かうように反射する傾斜面であり、傾斜面１２９は、ＬＥＤ１５０−２からの光線１３２を導光板１２０の上面１２１に対して延長方向に向かうように反射する傾斜面である。
【００３６】
傾斜面１２７と傾斜面１２９とは、近接して形成されているため、異なる方向から来る光を同方向に反射するためには異なる面となる。このように導光板１２０内の１点に形成された一つの傾斜面でＬＥＤ１５０−１からの光線１３１と、ＬＥＤ１５０−２からの光線１３２とを導光板１２０から鉛直方向に出射することは困難である。
【００３７】
そこで、図７に示すように傾斜面１２７と傾斜面１２９とが交差して形成される四角錐１４０を導光板１２０に形成してＬＥＤ１５０−１からの光線１３１とＬＥＤ１５０−２からの光線１３２とを同方向に向かうよう反射させることとした。
【００３８】
なお、ＬＥＤ１５０−１からの光線１３１とＬＥＤ１５０−２からの光線１３２とを同方向に向かうよう反射させる構成は、四角錐に限定されるものではなく、傾斜面１２７と傾斜面１２９とが交差するよう近接して設けるものでも同様の効果が得られる。
【００３９】
図７に示すように傾斜面１２７と傾斜面１２９とが交差して形成される四角錐１４０を用いることにより、ＬＥＤ１５０−１からの光１３１と、ＬＥＤ１５０−２からの光１３２とを同方向に向かうよう反射させることが可能であるが、図６の傾斜面１２７と傾斜面１２９に対して四角錐１４０の傾斜面１２７及び傾斜面１２９の面積は減少している。
【００４０】
図６及び図７では、傾斜面１２７の下面１２２とのなす接線１２８の長さが異なるが、仮に接線１２８が同じ傾斜面１２７を考えたとしても、図６の傾斜面１２７は四辺形であるのに対して図７の傾斜面は三角形となるために面積が減少することになる。
【００４１】
このように図７に示す四角錐１４０は傾斜面１２７と傾斜面１２９とで反射する光量が減少したとしても、複数の方向からの光線を同方向に反射すよう形成した構成である。ただし、反射する光量が減少するため、四角錐１４０の大きさと配置密度について適切な値となるよう考慮する必要がある。
【００４２】
図８に導光板１２０の底面１２２に形成された四角錐１４０の配置を示す。導光板１２０の厚さが約１．０ｍｍ〜約０．４ｍｍの範囲の場合では、四角錐１４０の高さｈは、約１０μｍ±５μｍであり、四角錐１４０の間隔ｄは、約２００μｍ±５０μｍである。
【００４３】
図８に示すように四角錐１４０は、一定の間隔ｄをもって離散して形成されている。導光板１２０に伝播する光線の中には、光線１３４に示すように傾斜面１２７や傾斜面１２９を透過して底面１２２の下に設けられた反射シート１１５で反射され、再度、導光板１２０に戻ってくる光線がある。このため、傾斜面１２７や傾斜面１２９と対向する面も傾斜面１２７や傾斜面１２９と同様の傾斜角度であることが望ましい。
【００４４】
次に、図９を用いて四角錐１４０の形状について説明する。図９に示すようにＬＥＤ１５０−１からの光線１３１と、ＬＥＤ１５０−２からの光線１３２とに対して垂直な接線１２８を形成するように四角錐１４０は設けられるため、四角錐１４０と底面１２２との接線が形作る四角形（以下、底周部と称する）は、一定ではなく、ＬＥＤ１５０−１とＬＥＤ１５０−２からの距離と角度によって変形する。
【００４５】
導光板１２０の中心付近に形成された四角錐１４０−１の底周部は、略正方形に近く、中心付近の四角錐１４０−１よりＬＥＤ１５０−２に近い四角錐１４０−２の底周部はＬＥＤ１５０−２側に傾いた縦長の形状をしており、中心付近の四角錐１４０−１より対角線上をＬＥＤ１５０−２から離れた位置の四角錐１４０−３の底周部は、ＬＥＤ１５０−２側により深く傾いた横長の形状をしている。
【００４６】
なお、ＬＥＤ１５０−１とＬＥＤ１５０−２とを結ぶ線上には、四角錐１４０を設けない領域１６２を設けて導光板１２０から光が出射しないようにしてもよい。また、領域１６２の下には、フレキシブル基板１６０を重ねるように形成してもよい。
【００４７】
図１０にＬＥＤ１５０−１を中心とする同心円と、ＬＥＤ１５０−２を中心とする同心円とが交差する位置に四角錐１４０を設けた導光板１２０を示す。図１０では、導光板１２０の２箇所の角部に設置されているＬＥＤ１５０−１，ＬＥＤ１５０−２にそれぞれ近接してＬＥＤ１５０−３，ＬＥＤ１５０−４が配設されて発光素子が４個の場合を示している。また、領域１６２の近傍に形成される四角錐１４０は下側の辺が上側の辺に対して短い形状に形成されている。
【００４８】
次に図１１に導光板１２０に四角錐１４０を形成し、さらに拡散板１１４の上にプリズムシート１１２を設けた応用例の構成を示す。導光板１２０上に拡散板１１４を設けることにより、出射光が鉛直方向から広がるような角度を有するが、さらにプリズムシート１１２を設けることにより広がりすぎた光線を再び鉛直方向に集光することが可能となる。
【００４９】
図１２及び図１３は、それぞれ図１４（ａ）及び図１４（ｂ）にそれぞれ示す角度＋α〜−α方向及び角度＋β〜−β方向から導光板１２０より出射する光の強度を測定した結果を示したものである。図１２は導光板１２０に四角錐１４０を設けた場合を示し、図１３は導光板１２０に四角錐１４０を設け、さらに拡散板１１４とプリズムシート１１２とを設けたものである。
【００５０】
図１２に示すように導光板１２０の出光面に対して鉛直方向の光強度が増加している。図１３では、光強度が増加する範囲に幅を持たせることが可能となっている。次に図１５に傾斜面１２７を曲面としたものを示す。角度１４１は約６０度±５度であり、角度１４２は約５５度±１０度であり、角度１４３は約５０度±５度で形成した。傾斜面１２７を曲面とすると、光の出射方向を鉛直方向から一定の幅で広げることが可能となる。
【図面の簡単な説明】
【００５１】
【図１】本発明の実施の形態である液晶表示装置の概略構成を示す平面図である。
【図２】本発明の実施の形態である液晶表示装置の発光素子の概略構造を示す図であり、図２（ａ）は断面図、図２（ｂ）は光出射面側の平面図である。
【図３】本発明の実施の形態である液晶表示装置の導光板の概略構成を示す図であり、図３（ａ）は平面図、図３（ｂ）は側面から見た平面図である。
【図４】液晶表示装置の導光板内の光の伝播構造を示す概略断面図であり、図４（ａ）は現行の伝播構造を示す図、図４（ｂ）は本発明の実施の形態である伝播構造を示す図である。
【図５】本発明の実施の形態である液晶表示装置の複数の発光素子を用いた際の問題点を示す概略平面図である。
【図６】本発明の実施の形態である液晶表示装置の複数の発光素子を用いた際の問題点を示す概略斜視図である。
【図７】本発明の実施の形態である液晶表示装置の傾斜面を示す概略斜視図である。
【図８】本発明の実施の形態である液晶表示装置の反射部材を示す概略斜視図である。
【図９】本発明の実施の形態である液晶表示装置の導光板を示す概略平面図である。
【図１０】本発明の実施の形態である液晶表示装置の導光板を示す概略平面図である。
【図１１】本発明の実施の形態である液晶表示装置の導光板を示す概略断面図である。
【図１２】本発明の実施の形態である液晶表示装置の導光板からの出光輝度を示す図である。
【図１３】本発明の実施の形態である液晶表示装置の導光板からの出光輝度を示す図である。
【図１４】本発明の実施の形態である液晶表示装置の図１２及び図１３の出光輝度を測定した角度を示す概略斜視図である。
【図１５】本発明の実施の形態である液晶表示装置の導光板の構成を示す概略断面図である。
【符号の説明】
【００５２】
１・・・液晶表示パネル、２・・・ＴＦＴ基板、５・・・駆動回路、６・・・駆動回路、８・・・画素部、９・・・表示領域、１０・・・スイッチング素子、１２・・・画素電極、２１・・・ゲート配線（走査信号線）、２２・・・映像信号線、７０・・・フレキシブル基板、７１・・・配線、７５・・・端子、８０・・・制御回路、１００・・・液晶表示装置、１１０・・・バックライト、１１０Ａ・・・面状光源装置、１１１・・・直線、１１２・・・プリズムシート、１１３・・・プリズムシート、１１４・・・拡散板、１１５・・・反射シート、１２０・・・導光板、１２１・・・上面、１２２・・・下面、１２５・・・光入射面、１２６・・・溝、１２７・・・反射面（傾斜面）、１２８・・・接線、１２９・・・傾斜面、１３１・・・光線、１３２・・・光線、１４０・・・四角錐、１４０−１・・・四角錐、１４１−２・・・四角錐、１４２−３・・・四角錐、１５０・・・ＬＥＤ、１５０−１・・・ＬＥＤ、１５０−２・・・ＬＥＤ、１５０−３・・・ＬＥＤ、１５０−４・・・ＬＥＤ、１５１・・・ＬＥＤチップ、１５２・・・ワイヤ、１５３・・・チップ端子、１５４・・・チップ搭載部、１５５・・・コーン状反射面、１５６・・・蛍光発光部、１５７・・・チップ基板、１５８・・・ｐ電極、１５９・・・ｎ電極、１６０・・・フレキシブル基板、１６２・・・四角錐を設けない領域、１６６・・・マーク、１７３・・・外部接続配線、１８０・・・バックライト。
【図１】
2007279474.tif 000003
【図２】
2007279474.tif 000004
【図３】
2007279474.tif 000005
【図４】
2007279474.tif 000006
【図５】
2007279474.tif 000007
【図６】
2007279474.tif 000008
【図７】
2007279474.tif 000009
【図８】
2007279474.tif 000010
【図９】
2007279474.tif 000011
【図１０】
2007279474.tif 000012
【図１１】
2007279474.tif 000013
【図１２】
2007279474.tif 000014
【図１３】
2007279474.tif 000015
【図１４】
2007279474.tif 000016
【図１５】
2007279474.tif 000017